(57)【要約】【課題】管理情報ファイルの修復を行った場合、映像ストリームのすべての映像を再生するように管理情報ファイルを修復してしまうので、ユーザーが停止ボタンを押した以降の元々再生されないはずの映像部分までも再生してしまう。【解決手段】管理情報ファイルチェック手段３が管理情報ファイルの異常を検出したときに通常の動画部分Ａとは異なる映像部分を再生不要映像部分Ｂとして検出する再生不要映像部分検出手段５と、検出結果が通常の記録動画のみの場合に映像ストリームＳＴ内のすべての映像を再生するための第１の修復管理情報ファイルＦaを作成し、通常の記録動画とは異なる映像部分を検出した場合に通常の記録動画とは異なる映像部分を再生しないようにするための第２の修復管理情報ファイルＦbを作成する管理情報ファイル修復手段６と、記録媒体に書き込んで管理情報ファイルＦoを更新する管理情報ファイル更新手段７を備える。【選択図】図１
2007149281.tif 000002
【特許請求の範囲】
【請求項１】
少なくとも映像ストリームと前記映像ストリームを再生するのに必要な情報を記録した管理情報ファイルとを記録する記録媒体から映像ストリーム、ファイルを読み出すファイル読み出し手段と、
前記ファイル読み出し手段が前記記録媒体から読み出した前記管理情報ファイルの存在もしくは破壊の有無または前記映像ストリームとの整合性についての正常異常を検査する管理情報ファイルチェック手段と、
前記ファイル読み出し手段が前記記録媒体から読み出した前記映像ストリームを再生する再生手段と、
前記管理情報ファイルチェック手段のチェック結果が前記管理情報ファイルの異常を検出した場合に、前記映像ストリームに通常の記録動画とは異なる映像部分の再生不要映像が存在するかを検出する再生不要映像検出手段と、
前記管理情報ファイルの異常を示す場合に、前記再生不要映像検出手段の検出結果が前記再生不要映像の非存在を示すときは前記映像ストリーム内のすべての映像を再生するための第１の修復管理情報ファイルを作成し、前記再生不要映像の存在を示すときはその再生不要映像を再生しないようにするための第２の修復管理情報ファイルを作成する管理情報ファイル修復手段と、
前記管理情報ファイル修復手段が作成した前記第１の修復管理情報ファイルまたは前記第２の修復管理情報ファイルを前記記録媒体に書き込んで前記管理情報ファイルを更新する管理情報ファイル更新手段とを備えた映像信号再生装置。
【請求項２】
前記再生不要映像検出手段は、前記映像ストリームの差分情報に基づいて、直前の画面との差分が所定値以下の映像を前記再生不要映像として検出する請求項１に記載の映像信号再生装置。
【請求項３】
前記再生不要映像検出手段は、前記映像ストリーム中の映像が所定のパターンであった場合に前記再生不要映像として検出する請求項１に記載の映像信号再生装置。
【請求項４】
前記再生不要映像検出手段は、前記映像ストリームの最後の記録単位ブロックのみについて前記再生不要映像の検出を行う請求項１から請求項３までのいずれかに記載の映像信号再生装置。
【請求項５】
前記再生不要映像検出手段は、前記映像ストリームの最後の記録単位ブロックとタイムスタンプの不連続点の前後の記録単位ブロックについて、前記再生不要映像の検出を行う請求項１から請求項３までのいずれかに記載の映像信号再生装置。
【発明の詳細な説明】
【技術分野】
【０００１】
本発明は、例えばＤＶＤ−Ｖｉｄｅｏ規格に代表される規格のように、記録されたファイルを管理情報ファイルに従って再生する映像信号再生装置に関するものである。
【背景技術】
【０００２】
ＤＶＤムービーの記録方式の代表例であるＤＶＤ−Ｖｉｄｅｏ規格では、映像データの記録は、ＶＯＢＵという記録単位ブロックの０．４秒刻みで行われるようになっている。故に、ユーザーが停止ボタンを押しても、ＶＯＢＵ単位で録画が継続される。そこで、ユーザーが停止ボタンを押した後には、直前の最終画像をホールドしておくとともに、管理情報ファイルには停止時刻を書き込んでおき、再生時には、停止時刻以降の映像を再生しないようにしている。
【０００３】
また、管理情報ファイルが消失または破壊された場合に、映像ストリームから管理情報ファイルの修復を行う方式も提案されている（例えば、特許文献１参照）。
【特許文献１】特開２００１−１４３４３９号公報（第４−７頁、第２図）
【発明の開示】
【発明が解決しようとする課題】
【０００４】
しかし、特許文献１で開示されている方法で管理情報ファイルの修復を行った場合、映像ストリームのすべての映像を再生するように管理情報ファイルを修復してしまうことになる。その結果、管理情報ファイルの消失・破壊がない場合に元々再生されないはずの映像部分すなわちユーザーが停止ボタンを押した以降の映像部分までも再生してしまうという不都合がある。
【０００５】
本発明は、このような事情に鑑みて創作したものであり、管理情報ファイルが異常（存在しないもしくは破壊されているまたは映像ストリームとの整合性がない）を示している場合に、管理情報ファイルの修復を行う映像信号再生装置において、修復した管理情報ファイルが所期通りに正しく機能するようにすることを目的としている。すなわち、異常があった管理情報ファイルにかかわる映像ストリーム中に再生不要映像が存在しないときは通常の再生を行うが、再生不要映像が存在するときはその再生不要映像は再生しない状態で映像ストリームを再生するようにすることを目的としている。
【課題を解決するための手段】
【０００６】
本発明による映像信号再生装置は、
少なくとも映像ストリームと前記映像ストリームを再生するのに必要な情報を記録した管理情報ファイルとを記録する記録媒体から映像ストリーム、ファイルを読み出すファイル読み出し手段と、
前記ファイル読み出し手段が前記記録媒体から読み出した前記管理情報ファイルの存在もしくは破壊の有無または前記映像ストリームとの整合性についての正常異常を検査する管理情報ファイルチェック手段と、
前記ファイル読み出し手段が前記記録媒体から読み出した前記映像ストリームを再生する再生手段と、
前記管理情報ファイルチェック手段のチェック結果が前記管理情報ファイルの異常を検出した場合に、前記映像ストリームに通常の記録動画とは異なる映像部分の再生不要映像が存在するかを検出する再生不要映像検出手段と、
前記管理情報ファイルの異常を示す場合に、前記再生不要映像検出手段の検出結果が前記再生不要映像の非存在を示すときは前記映像ストリーム内のすべての映像を再生するための第１の修復管理情報ファイルを作成し、前記再生不要映像の存在を示すときはその再生不要映像を再生しないようにするための第２の修復管理情報ファイルを作成する管理情報ファイル修復手段と、
前記管理情報ファイル修復手段が作成した前記第１の修復管理情報ファイルまたは前記第２の修復管理情報ファイルを前記記録媒体に書き込んで前記管理情報ファイルを更新する管理情報ファイル更新手段とを備えたものである。
【０００７】
この構成において、ファイル読み出し手段が記録媒体から読み出した管理情報ファイルＦoについて、管理情報ファイルチェック手段がチェックし、管理情報ファイルＦoが正常であることを示している場合は、ファイル読み出し手段が記録媒体から読み出した映像ストリームの再生を行う。また、チェックした管理情報ファイルＦoが異常（存在しないもしくは破壊されているまたは映像ストリームとの整合性がない）を示している場合は、再生不要映像検出手段は、読み出した映像ストリーム中に再生不要映像（全画面ホールドされている部分または青や黒などの単色もしくは任意の固有映像など）が存在するかどうかの検出を行い、再生不要映像が存在しないときは、管理情報ファイル修復手段は、映像ストリーム内のすべての映像を再生するための第１の修復管理情報ファイルＦaを作成し、一方、再生不要映像が存在するときは、管理情報ファイル修復手段は、映像ストリームから再生不要映像部分は再生せず再生不要映像以外の映像を再生するための第２の修復管理情報ファイルＦbを作成する。そして、作成した第１または第２の修復管理情報ファイルＦa，Ｆbを記録媒体に書き込んで元の管理情報ファイルＦoを更新する。すなわち、管理情報ファイルＦoの修復を行う。このようにして、再生不要映像部分を再生しないようにするための第２の修復管理情報ファイルＦbの作成が可能となり、元の管理情報ファイルＦoでは非再生となる映像に関して、第２の修復管理情報ファイルＦbを用いても再生しないようにする制御が可能となる。
【０００８】
上記構成において、前記再生不要映像検出手段は、前記映像ストリームの差分情報に基づいて、直前の画面との差分が所定値以下の映像を前記再生不要映像として検出するという態様がある。これは、直前画面ホールド部分を検出することによって再生不要映像を特定するものである。
【０００９】
また、上記構成において、前記再生不要映像検出手段は、前記映像ストリーム中の映像が所定のパターンであった場合に前記再生不要映像として検出するという態様がある。これは、青や黒の任意のパターンの画面など固有の映像部分を検出することによって再生不要映像を特定するものである。
【００１０】
また上記構成において、前記再生不要映像検出手段は、前記映像ストリームの最後の記録単位ブロック（例えばＶＯＢＵ）のみについて前記再生不要映像の検出を行うという態様がある。記録停止操作した直後は、記録動作が記録単位ブロックで継続し、その記録停止操作のタイミングを含む記録単位ブロックを最後の記録単位ブロックとして、記録動作が終了する。したがって、再生不要映像を含むのは最後の記録単位ブロックということになる。この最後の記録単位ブロックで再生不要映像の検出を行うように構成すれば、再生不要映像の検出を効率良く行うことができる。
【００１１】
また、上記構成において、前記再生不要映像検出手段は、前記映像ストリームの最後の記録単位ブロックとタイムスタンプの不連続点の前後の記録単位ブロックについて、前記再生不要映像の検出を行うという態様がある。再生不要映像が存在することの検出は、映像ストリームの最後の部分で行うのを原則とするが、もし映像ストリームの途中に再生不要映像が挿入されている場合においても、タイムスタンプに不連続点があれば、その途中の記録単位ブロックが再生不要映像に該当すると判断する。したがって、映像ストリームの途中に再生不要映像がある場合でも、上記同様に適切に対応することができる。
【発明の効果】
【００１２】
本発明によれば、管理情報ファイルが異常（存在しないもしくは破壊されているまたは映像ストリームとの整合性がない）を示している場合であっても、停止時刻以降の再生不要映像を再生しないようにするための第２の修復管理情報ファイルを新たに作成し、この第２の修復管理情報ファイルに従って映像ストリームを再生するので、再生不要映像は再生しない状態で映像ストリームを再生することができる。すなわち、修復した管理情報ファイルを所期通りに正しく機能させることができる。
【発明を実施するための最良の形態】
【００１３】
以下、本発明にかかわる映像信号再生装置の実施の形態を図面に基づいて詳細に説明する。
【００１４】
図１は本発明の実施の形態における映像信号再生装置の構成を示すブロック図である。図１において、１はＤＶＤ−Ｖｉｄｅｏ規格に従った映像ストリームおよび管理情報ファイルＦoが記録された記録媒体、２は記録媒体１から映像ストリーム、ファイルを読み出すファイル読み出し手段、３はファイル読み出し手段２が記録媒体１から読み出した管理情報ファイルＦoの存在もしくは破壊の有無または映像ストリームとの整合性についての正常異常をチェックする管理情報ファイルチェック手段、４は管理情報ファイルチェック手段３のチェック結果が正常を示している場合に、管理情報ファイルＦoの内容に従って、記録媒体１から映像信号を読み出して再生する再生手段である。５は管理情報ファイルチェック手段３のチェック結果が管理情報ファイルＦoの異常（存在しないもしくは破壊されているまたは映像ストリームとの整合性がない）を示している場合に、ファイル読み出し手段２を使用して記録媒体１から映像データを読み出し、映像ストリームに通常の記録動画とは異なる映像部分の再生不要映像が存在するかを検出する再生不要映像検出手段である。この再生不要映像検出手段５は、映像データから映像の全画面ホールドされている部分または青や黒の固有のデータが挿入されている再生不要映像部分を検出する。６は管理情報ファイルＦoが異常を示す場合に、再生不要映像検出手段５の検出結果が再生不要映像の非存在を示すときは映像ストリーム内のすべての映像を再生するための第１の修復管理情報ファイルＦaを作成し、再生不要映像の存在を示すときはその再生不要映像を再生しないようにするための第２の修復管理情報ファイルＦbを作成する管理情報ファイル修復手段である。７は管理情報ファイル修復手段６で作成された第１または第２の修復管理情報ファイルＦa，Ｆbを記録媒体１に書き込んで管理情報ファイルＦoを更新する管理情報ファイル更新手段である。
【００１５】
なお、本実施の形態においてはＤＶＤ−Ｖｉｄｅｏを一例とするが、複数のフレーム画像を記録最小単位とし、管理情報ファイルによって再生の仕方を制御する映像の記録、再生に関する規格に有効である。
【００１６】
図２は本発明の実施の形態における映像信号再生装置の動作を示すフローチャートである。
【００１７】
映像の再生を行うに際して、まずステップＳ１において、ファイル読み出し手段２は、記録媒体１から管理情報ファイルＦoの読み出しを行う。次いでステップＳ２において、管理情報ファイルチェック手段３は、ファイル読み出し手段２から得た管理情報ファイルＦoのチェックを行う。チェックの結果、管理情報ファイルＦoが存在しかつ正しいファイルであった場合は、ステップＳ３に進んで、ファイル読み出し手段２は映像ストリームの読み出しを行い、次いでステップＳ４において、再生手段４は映像ストリームの再生を行う。再生が終われば、管理情報ファイルＦoの読み出しのステップＳ１へ戻るという手順で記録媒体１内の映像ストリームの再生を行う。
【００１８】
また、管理情報ファイルチェック手段３のチェック結果が、管理情報ファイルＦoが存在しないまたは正しいファイルではなかった場合、ステップＳ５に進んで、ファイル読み出し手段２は映像ストリームの読み出しを行う。次いでステップＳ６において、再生不要映像検出手段５は、読み出された映像ストリーム中に、全画面ホールドされている部分または青や黒などの単色もしくは任意の固有映像である再生不要映像が存在するかどうかの検出を行う。再生不要映像の検出の結果、再生不要映像が存在しなかった場合は、ステップＳ７に進んで、管理情報ファイル修復手段６は、映像ストリーム内のすべての映像を再生するための第１の修復管理情報ファイルＦaの作成を行う。そして、ステップＳ９において、管理情報ファイル更新手段７は、作成された第１の修復管理情報ファイルＦaを記録媒体１に更新的に書き込む。
【００１９】
一方、ステップＳ６での再生不要映像の検出の結果、再生不要映像が存在した場合は、ステップＳ８に進んで、管理情報ファイル修復手段６は、映像ストリーム内の映像から再生不要映像部分は再生せず、再生不要映像以外の映像を再生するための第２の修復管理情報ファイルＦbの作成を行う。そして、ステップＳ９において、管理情報ファイル更新手段７は、作成された第２の修復管理情報ファイルＦbを記録媒体１に更新的に書き込む。
【００２０】
以上の動作により管理情報ファイルＦoに異常があった場合、修復前の完全な状態の管理情報ファイルＦoと同様に再生不要映像部分を再生しないようにするための第２の修復管理情報ファイルＦbの作成が可能となり、元々映像ストリーム上には存在するが、管理情報ファイルＦoにおいて非再生となっていた再生不要映像に関して、管理情報ファイルＦoの修復後も再生しないようにする制御が可能となる。
【００２１】
次に、再生不要映像とその検出方法について詳しく説明する。
【００２２】
図３は再生不要映像を含む映像ストリームＳＴの一例を示す。映像ストリームＳＴの前部には動画部分Ａがあり、最後のＶＯＢＵ単位で動画から再生不要映像部分Ｂに変化している。この映像ストリームＳＴでは、動画の最終映像（記録終了映像）でユーザーにより記録停止操作が行われ、以降は記録終了映像が繰り返し挿入されている。このような映像に対してＭＰＥＧ２などに代表されるフレーム相関を利用した映像圧縮を行うと、再生不要映像部分Ｂには直前の映像に対して差分が０となる形で映像ストリームが生成される。
【００２３】
図３に示す映像ストリームＳＴの管理情報ファイルＦoを修復する場合について説明する。
【００２４】
再生不要映像部分検出手段５は、映像ストリームＳＴの最初の部分から映像データのチェックを行う。管理情報ファイル修復手段６は、図３の動画部分Ａについては、通常と同様に映像を再生するための第１の修復管理情報ファイルＦaを作成する。
【００２５】
また、図３の再生不要映像部分Ｂについては、図３の動画の最終映像に対して差分が０である。そこで、管理情報ファイル修復手段６は、管理情報ファイルチェック手段３が差分０という映像ストリームを検出した場合には、差分０の映像ストリームは再生しないようにするための第２の修復管理情報ファイルＦbを作成する。
【００２６】
なお、本実施の形態においては映像ストリームの最後に再生不要映像部分Ｂが挿入された場合を説明したが、映像ストリームの途中であっても問題はなく、同様の効果が得られる。
【００２７】
また、映像ストリームの中間に差分０の映像ストリームがある場合に、管理情報ファイル修復手段６は、差分０の映像の直前の動画部分と差分０の映像の直後の動画部分のタイムスタンプが不連続であるときは、再生不要映像部分であると判断して第２の修復管理情報ファイルＦbを作成し、一方、タイムスタンプが連続であるときには再生すべき映像であると判断して第１の修復管理情報ファイルＦaを作成する。
【００２８】
以上の動作を行うことで、ＶＯＢＵ単位での記録映像ストリームの再生不要映像部分Ｂを再生しないようにするための第２の修復管理情報ファイルＦbの作成を行うことができる。
【００２９】
次に、再生不要映像部分の別の検出方法について詳しく説明する。
【００３０】
図４は再生不要映像部分Ｂが含まれる映像ストリームＳＴの一例を示す。映像ストリームＳＴの前部には動画部分Ａがあり、最後のＶＯＢＵで動画から再生不要映像部分Ｂに変化している。この映像ストリームＳＴは、動画の最終映像（記録終了映像）でユーザーにより記録停止操作が行われ、以降は画面全体が黒（輝度成分が最小値、色成分がなし）である。
【００３１】
図４に示す映像ストリームＳＴの管理情報ファイルＦoを修復する場合について説明する。
【００３２】
再生不要映像部分検出手段５は、映像ストリームＳＴの最初の部分から映像データのチェックを行う。管理情報ファイル修復手段６は、図４の動画部分Ａについては、通常と同様に映像を再生するための第１の修復管理情報ファイルＦaを作成する。
【００３３】
また、図４の再生不要映像部分Ｂについては、管理情報ファイルチェック手段３が映像ストリームＳＴの最終ＶＯＢＵの途中で画面全体が黒の映像に変化したことを検出した場合には、管理情報ファイル修復手段６は、画面全体が黒の映像は再生しないようにするための第２の修復管理情報ファイルＦbを作成する。
【００３４】
また、映像ストリームの中間に画面全体が黒の映像の映像ストリームが存在する場合に、管理情報ファイル修復手段６は、画面全体が黒の映像の直前の動画部分と画面全体が黒の映像の直後の動画部分のタイムスタンプが不連続であるときは、再生不要映像部分であると判断して第２の修復管理情報ファイルＦbを作成し、一方、タイムスタンプが連続であるときには再生すべき映像であると判断して第１の修復管理情報ファイルＦaを作成する。
【００３５】
以上の動作を行うことで、ＶＯＢＵ単位で記録された映像ストリームＳＴの再生不要映像部分Ｂを再生しないようにするための第２の修復管理情報ファイルＦbの作成を行うことができる。
【００３６】
なお、本実施の形態においては、再生不要映像部分の映像は画面全体が黒としたが、再生不要映像部分の映像は動画と区別することができるものであれば何でもよい。また、映像ストリームに関しても、映像のみではなく音声などその他の信号がミックスされた複合ストリームでもかまわない。
【産業上の利用可能性】
【００３７】
本発明の技術は、例えばＤＶＤ−Ｖｉｄｅｏ規格に代表される規格に従って記録された映像ストリームを管理情報ファイルに従って再生するＤＶＤムービーなどの映像信号再生装置において、管理情報ファイルが消失または破壊された場合等に、管理情報ファイルの修復動作を行う技術として有用である。
【図面の簡単な説明】
【００３８】
【図１】本発明の実施の形態における映像信号再生装置の構成を示すブロック図
【図２】本発明の実施の形態における映像信号再生装置の動作を示すフローチャート
【図３】本発明の実施の形態における映像信号再生装置の動作を映像ストリーム基準で説明する図（その１）
【図４】本発明の実施の形態における映像信号再生装置の動作を映像ストリーム基準で説明する図（その２）
【符号の説明】
【００３９】
１  記録媒体
２  ファイル読み出し手段
３  管理情報ファイルチェック手段
４  再生手段
５  再生不要映像部分検出手段
６  管理情報ファイル修復手段
７  管理情報ファイル更新手段
Ｆo  管理情報ファイル
Ｆa  第１の修復管理情報ファイル
Ｆb  第２の修復管理情報ファイル
Ａ  動画部分
Ｂ  再生不要映像部分
ＳＴ  映像ストリーム
【図１】
2007149281.tif 000003
【図２】
2007149281.tif 000004
【図３】
2007149281.tif 000005
【図４】
2007149281.tif 000006